(57)【特許請求の範囲】
【請求項１】
抵抗測定部と帯電量測定部とからなり、一枚のフィルムサンプルで漏洩性と帯電性を評価できる帯電防止性評価装置において、
抵抗測定部は、長円状主電極と前記長円状主電極を外側から一定距離離間して囲んだリング状対電極を含む一面側電極部と、前記一面側電極部の長円状主電極に対向配置された対向電極を含む他面側電極部とを含み、いずれかの電極部の対向する縁にはフィルムサンプルの挿し込み空間を画定するガイド部が設けられており、フィルムサンプルは前記ガイド部に挿し込まれた状態で、前記電極部の一方又は両方が互いに近接する方向に相対的に移動することで前記一面側電極部と前記他面側電極部の間に挟持されて抵抗が測定されるものであり、
帯電量測定部は、除電イオン風を発生する除電箱と、前記除電箱内に設けられ上下方向に延びるガイド部を有し、前記ガイド部内で落下しつつあるフィルムサンプルに除電イオン風を当てて除電する除電手段とからなる除電部と、前記除電箱に下側から対向し前記除電箱から排出されたフィルムサンプルを一対の帯電ロールに挟んで下方に繰り出しながら帯電する帯電部と、繰り出され落下したフィルムサンプルを受け止めるファラデーゲージとを含み、フィルムサンプルは前記除電箱に上側から投入されると前記ファラデーゲージに落下してそこで電荷量が測定されるものであり、
前記抵抗測定部のガイド部のガイド幅寸法と、前記帯電量測定部のガイド部のガイド幅寸法が同じに設定され、
前記抵抗測定部の長円状主電極とリング状対電極とからなる電極部の形状が、ＪＩＳ法の電極部の形状と表面抵抗、体積抵抗との関係式に基づいて、そのＪＩＳ法の電極部で測定したものと同じ表面抵抗や体積抵抗の測定値が得られるように設定され、前記ガイド幅寸法はその電極部の短手方向の寸法に対応しており、
前記帯電量測定部の除電部のガイド部の下側にはイオン風がフィルムサンプルに当らないように閉鎖されて閉鎖ガイド部になっており、フィルムサンプルの落下先端が帯電ロールに接触したときには落下後端はガイド部の閉鎖部分に位置するように閉鎖長さが設定され、
前記帯電量測定部の除電部の除電箱の下面には一対の帯電ロールのそれぞれの外方側半円弧部に対向して一対の貫通孔が形成されていることを特徴とする帯電防止性評価装置。
【請求項２】
請求項１に記載した帯電防止性評価装置において、ガイド部は除電箱を貫通し先尖状になって下方の一対の帯電ロールの間に延出していることを特徴とする帯電防止性評価装置。
【請求項３】
請求項１または２に記載した帯電防止性評価装置において、単一の装置本体の上に電荷量測定部の除電部及び帯電部と抵抗測定部の一対の電極部が立設され、装置本体には電荷量測定部のファラデーゲージが収容されていることを特徴とする帯電防止性評価装置。
【請求項４】
請求項１から３のいずれかに記載した帯電防止性評価装置において、帯電量測定部の一対の帯電ロールは交換可能になっていることを特徴とする帯電防止性評価装置。
【請求項５】
請求項１から４のいずれかに記載した帯電防止性評価装置において、抵抗測定部の一面側電極部の長円状電極とリング状電極が接続された表面抵抗測定回路と、前記長円状電極と他面側電極部の対電極が接続された体積抵抗測定回路とがスライドスイッチにより切り替え自在に構成されていることを特徴とする帯電防止性評価装置。
【発明の詳細な説明】
【技術分野】
【０００１】
本発明は、フィルムの帯電防止性評価装置に係り、より詳細には、一枚のフィルムサンプルで帯電防止性が依存する帯電性と漏洩性の２つの特性を評価できる帯電防止性評価装置に関するものである。
【背景技術】
【０００２】
静電気（接触帯電）に起因する、静電気の放電によるスタチックマークの発生、フィルムどうしの吸い付き、ゴミの付着などのトラブルが問題になっている。
従来は上記したトラブルを解消するために、フィルムの漏洩性を改善する、即ち表面抵抗と体積抵抗を下げることで対応している。
それに対して、本発明者は、先に、フィルムの帯電防止性を評価する要素は、フィルムの素材に由来する漏洩性だけではなく、そのフィルムに実際に接触する接触物との相対的な関係で決まるそのフィルムの帯電性もあることを見出し、上記２つの特性をＲ（漏洩性）−Ｖ（帯電性）ダイヤグラム上に示し、漏洩性と帯電性のバランスに基づいてそのフィルムの帯電防止性を評価することを提案している。
【０００３】
【特許文献１】特開２００４−１３１６６０号公報
【発明の開示】
【発明が解決しようとする課題】
【０００４】
漏洩性と帯電性の両方を評価するためには、抵抗と帯電量の測定を行う必要がある。
ところで、日本工業規格ＪＩＳ  Ｋ６９１１には表面・体積抵抗測定法とその測定用電極の形状と寸法が規定されており、そこで規定されている電極形状は円板状になっている。従って、上記したＪＩＳに従って表面・体積抵抗を測定するためにはフィルムサンプルの寸法を電極の寸法に合わせて横幅の有るものに設定する必要がある。
一方、帯電量測定装置の除電箱はフィルムサンプルの大きさに比例して大きくなる。また、一対の帯電ロールの間にフィルムサンプルを挟んで帯電させるときにはロール長をフィルムサンプルの横幅より若干小さくすることでフィルムをニップする部分をロール長で規定して帯電面積を一定にしている。
そのため、フィルムサンプルが横幅の有るものだと帯電量測定装置自体が大型化してしまう。
しかしながら、抵抗測定装置で用いたフィルムサンプルを一々切断して横幅寸法を小さくしてから帯電量測定装置で用いたのでは作業効率が悪い。
【０００５】
本発明は、上記の背景技術及び背景技術が抱えていた問題点の存在を踏まえてなされたものであって、一枚のフィルムサンプルで帯電性と漏洩性を評価できる工夫された装置を提供することを目的とする。
【課題を解決するための手段】
【０００６】
上記課題を解決するために、請求項１の発明は、抵抗測定部と帯電量測定部とからなり、一枚のフィルムサンプルで漏洩性と帯電性を評価できる帯電防止性評価装置において、抵抗測定部は、長円状主電極と前記長円状主電極を外側から一定距離離間して囲んだリング状対電極を含む一面側電極部と、前記一面側電極部の長円状主電極に対向配置された対向電極を含む他面側電極部とを含み、いずれかの電極部の対向する縁にはフィルムサンプルの挿し込み空間を画定するガイド部が設けられており、フィルムサンプルは前記ガイド部に挿し込まれた状態で、前記電極部の一方又は両方が互いに近接する方向に相対的に移動することで前記一面側電極部と前記他面側電極部の間に挟持されて抵抗が測定されるものであり、帯電量測定部は、除電イオン風を発生する除電箱と、前記除電箱内に設けられ上下方向に延びるガイド部を有し、前記ガイド部内で落下しつつあるフィルムサンプルに除電イオン風を当てて除電する除電手段とからなる除電部と、前記除電箱に下側から対向し前記除電箱から排出されたフィルムサンプルを一対の帯電ロールに挟んで下方に繰り出しながら帯電する帯電部と、繰り出され落下したフィルムサンプルを受け止めるファラデーゲージとを含み、フィルムサンプルは前記除電箱に上側から投入されると前記ファラデーゲージに落下してそこで電荷量が測定されるものであり、前記抵抗測定部のガイド部のガイド幅寸法と、前記帯電量測定部のガイド部のガイド幅寸法が同じに設定され、前記抵抗測定部の長円状主電極とリング状対電極とからなる電極部の形状が、ＪＩＳ法の電極部の形状と表面抵抗、体積抵抗との関係式に基づいて、そのＪＩＳ法の電極部で測定したものと同じ表面抵抗や体積抵抗の測定値が得られるように設定され、前記ガイド幅寸法はその電極部の短手方向の寸法に対応しており、前記帯電量測定部の除電部のガイド部の下側にはイオン風がフィルムサンプルに当らないように閉鎖されて閉鎖ガイド部になっており、フィルムサンプルの落下先端が帯電ロールに接触したときには落下後端はガイド部の閉鎖部分に位置するように閉鎖長さが設定され、前記帯電量測定部の除電部の除電箱の下面には一対の帯電ロールのそれぞれの外方側半円弧部に対向して一対の貫通孔が形成されていることを特徴とする帯電防止性評価装置である。
【０００７】
請求項２の発明は、請求項１に記載した帯電防止性評価装置において、ガイド部は除電箱を貫通し先尖状になって下方の一対の帯電ロールの間に延出していることを特徴とする帯電防止性評価装置である。
【００１０】
請求項３の発明は、請求項１または２に記載した帯電防止性評価装置において、単一の装置本体の上に電荷量測定部の除電部及び帯電部と抵抗測定部の一対の電極部が立設され、装置本体には電荷量測定部のファラデーゲージが収容されていることを特徴とする帯電防止性評価装置である。
【００１１】
請求項４の発明は、請求項１から３のいずれかに記載した帯電防止性評価装置において、帯電量測定部の一対の帯電ロールは交換可能になっていることを特徴とする帯電防止性評価装置である。
【００１２】
請求項５の発明は、請求項１から４のいずれかに記載した帯電防止性評価装置において、抵抗測定部の一面側電極部の長円状電極とリング状電極が接続された表面抵抗測定回路と、前記長円状電極と他面側電極部の対電極が接続された体積抵抗測定回路とがスライドスイッチにより切り替え自在に構成されていることを特徴とする帯電防止性評価装置である。
【発明の効果】
【００１３】
本発明の帯電防止性評価装置によれば、一枚のフィルムサンプルで帯電性と漏洩性を評価できる。
【発明を実施するための最良の形態】
【００１４】
以下、本発明の実施の形態に係る帯電防止性評価装置１を図面に従って説明する。
この帯電防止性評価装置１は、一枚の長方形のフィルムサンプルＳをそのまま共用できるものであり、図１に示すように、抵抗測定部と帯電量測定部とが一体になって単一のユニットを構成しており、装置本体３の上に上記した測定部の一部が立設されている。
先ず、抵抗測定部について、図１〜４に従って説明する。
図２に示すように、符号５は一面側電極部を示し、この一面側電極部５の絶縁性本体７は全体として略長方形の板状をしており、装置本体３上に縦長となるように支持固定されている。絶縁性本体７の対向面側には長円リング状の溝部９が形成されており、この溝部９の内側には薄い長円状主電極１１が配置され、外側には薄いリング状対電極１３が配置されており、リング状対電極１３が長円状主電極１１を外側から囲むように構成されている。長円状主電極１１とリング状電極１３は上面が同一面となるように絶縁性本体７上に固定されている。
【００１５】
符号１５は他面側電極部を示し、この他面側電極部１５の絶縁性本体１７は全体として略長方形の板状をしており、装置本体３上に縦長となるように支持固定されている。
符号１９，１９はガイド部を構成する一対のガイド部材を示し、このガイド部材１９，１９は絶縁性本体１７の幅方向両側縁に沿って延設されている。ガイド部材１９，１９は、絶縁性本体１７から離れる方向に延びた後直角に屈曲して互いに近づいており、断面が「Ｌ」字状をなしている。ガイド部材１９，１９と絶縁性本体１７とで画定される挿し込み空間２１の横幅寸法（Ｗ１）はフィルムサンプルＳの横幅寸法（Ｗ）より若干大きく設定されており、フィルムサンプルＳが上方からスムーズに挿し込まれるようになっている。フィルムサンプルＳが挿し込まれたときには、フィルムサンプルＳの上端側端部は他面側電極部１５の絶縁性本体１７の上面から上方にはみ出した状態となる。即ち、フィルムサンプルＳの長手方向の長さ寸法（Ｌ）より小さくなるように他面側電極部１５の長さ寸法が設定されている。
絶縁性本体１７の対向面側には薄い長方形状の対向電極２３が配置され固定されている。
【００１６】
符号２５，２５は一対のレール部材を示し、このレール部材２５，２５は装置本体３上に平行に配置され固定されている。一対のレール部材２５，２５の一端側は一面側電極部５の下端部を挟んで配置されている。各レール部材２５には上面に開口したレール溝２７が形成されており、それに他面側電極部１５の下面に一体に設けられた一対のスライダ（図示省略）がスライド自在に係合されている。
符号２９は取手を示し、この取手２９は他面側電極部１５に取り付けられている。作業者が取手２９を把持して他面側電極部１５を押したり引いたりすることでスライド移動により他面側電極部１５は一面側電極部５に近づけたり離されたりする。
他面側電極部１５を一面側電極部５に最大限近づけると、一面側電極部５の絶縁性本体７が相対的に他面側電極部１５の一対のガイド部材１９，１９の間の隙間を通って挿し込み空間２１に挿し込まれ、フィルムサンプルＳが一面側電極部５と他面側電極部１５とで挟持される。
【００１７】
図３は電気的結線関係を示した図面である。
この図では、理解の便宜のために、一面側電極部５として長円状主電極１１、リング状対電極１３のみが描かれており、他面側電極部１５として矩形状対向電極２３のみが描かれている。
符号３１はスライドスイッチのスイッチ部を示し、このスイッチ部３１はスライダ３３を挟んで両側に固定部３５が配置されており、黒色領域は導電部、白色領域は絶縁部となっている。スライダ３３は固定部３５間でスライド自在になっている。
【００１８】
図３（１）に示すようなスライダの位置関係では、長円状主電極１１とリング状対電極１３がスイッチ部３１を介して電気的に接続される。従って、電圧印加手段３７から電圧を印加すると、リング状対電極１３から流れ出た漏洩電流が電流測定手段３９で測定されることになる。ここでは、フィルムサンプルの表面抵抗が測定される。
図３（２）に示すようなスライダの位置関係では、長円状主電極１１と矩形状対向電極２３がスイッチ部３１を介して電気的に接続される。従って、電圧印加手段３７から電圧を印加すると、矩形状対向電極２３から流れ出た漏洩電流が電流測定手段３９で測定されることになる。ここでは、フィルムサンプルの体積抵抗が測定される。
フィルムサンプルＳの抵抗は漏洩電流の測定値に基づいて算出され測定される。
【００１９】
図１中、符号４１は抵抗測定部の表示パネルを示し、この表示パネル４１は装置本体３の正面に配設されている。
表示パネル４１には、オンオフスイッチ、目盛の他に、スライダスイッチの操作棒４３が上下方向に引き上げ、押下げ可能に設けられており、この操作棒４３の先端はスライダ３３の一端と物理的に結合されている。
操作棒４３を引き上げるとスライダ３３がスライド移動して図３（１）に示す
位置に到達し、押下げるとスライダ３３が今度は逆方向にスライド移動して図３（２）に示す位置に到達する。
【００２０】
図４（１）は、従来のＪＩＳに準拠した電極形状であり、図４（２）は実施の形態の一面側電極部５の電極形状である。表面抵抗の対応関係は以下の通りである。
【数１】
0004752008.tif 000002
【数２】
0004752008.tif 000003
上記より、電極部の形状、表面抵抗に関して分母の電極長をＪＩＳの電極長に近似させ、体積抵抗に関しては分母の電極面積をＪＩＳの電極面積に近似させたものに設定すれば、測定値は、ＪＩＳ法に従う測定値に近似するとして評価することができる。
従って、Ｒ1をｒ1の１／２〜１／３、更にはそれより小さく設定できる。即ち、ＪＩＳに準拠した場合より、フィルムサンプルＳの横幅寸法を大幅に小さく設定できる。
【００２１】
この抵抗測定部では、フィルムサンプルＳの移動が規制される挿し込み空間２１が設けられているので、フィルムサンプルＳは正確に所定の位置に配置できる。
また、電極部５，１５の一方がスライド移動可能になっており、抵抗測定前と後には電極部５，１５を離間させることができるので、フィルムサンプルＳの挿し込み及び取り出しを容易にできる。特に、フィルムサンプルＳの上端側端部は他面側電極部１５の絶縁性本体１７の上面から上方に若干はみ出した状態となるため、取り出し易い。
さらに、表示パネルの操作棒４３を引き上げ、押下げする簡単な操作により、スライドスイッチを切り替え、フィルムサンプルＳの表面抵抗と体積抵抗とを測定できる。
【００２２】
次に、帯電量測定部について、図１、図５〜１２に従って説明する。
先ず、除電部について説明する。
図１中、符号４５は除電箱を示し、この除電箱４５の箱本体４７中で除電される。
符号４９は断面が長方形の筒状のガイド部を示し、箱本体４７内を上下方向に延びてフィルムサンプルＳを鉛直姿勢に規制するための横断面が長方形の規制空間５１が形成されている。
ガイド部４９の上側部分は箱本体４７の上面を貫通し、その上端面は開口してフィルムサンプルＳの投入口５３となっている。除電箱４５の天井面から一定の長さまでは、対向する側面が切り欠けられて一対の開口窓５５が形成されている。
ガイド部４９の下側部分も箱本体４７を貫通しており、図５に示すように貫通後はガイド部４９の左右両側壁の厚さ寸法が徐々に小さくなって先尖り状の延出部５７となっている。
符号５９，５９は一対の長方形の貫通孔を示し、この貫通孔５９，５９は箱本体４７の下面を切り欠いて形成されている。貫通孔５９，５９はガイド部４９の延出部５７を挟んで対向配置されており、ガイド部４９の規制空間５１の断面穴部５２との位置関係は図８に示す通りである。ガイド部４９の規制空間５１の横幅寸法（Ｗ１）は抵抗測定部の挿し込み空間２１の横幅寸法（Ｗ１）と同じに設定されている。
ガイド部４９のうち上記した貫通孔５９，５９の形成されていない箇所は閉鎖されており、閉鎖ガイド部に相当する。
【００２３】
符号６１，６１は一対の除電イオン風発生手段を示し、この除電イオン風発生手段６１は針状電極６３に高電圧を印加して放電によりイオンを発生させる機構になっている。そのイオンを含む除電イオン風がフィルムサンプルＳに両側面から当たると、フィルムサンプルＳ上に帯電している電荷が中和されて除電される。
この一対の除電イオン風発生手段６１，６１は、箱本体４７の上面天井から吊下げられて箱本体４７の下面付近まで延びており、ガイド部４９の幅方向に対向配置されている。
【００２４】
符号６７，６７は一対のレール部材を示し、このレール部材６７，６７は装置本体３の下駄部６５上に平行に配置され固定されている。各レール部材６７には上面に開口したレール溝６９が形成されており、それに箱本体４７の下面に一体に設けられた一対のスライダ（図示省略）がスライド自在に係合されている。
従って、箱本体４７を矢印に示す方向に移動させることができる。箱全体４７を装置本体３の後方に最大限後退させると、後述する帯電ロール７１，７１がむき出しとなる。
【００２５】
次に帯電部について説明する。
上記した一対の帯電ロール７１，７１は箱本体４７と装置本体３との間に配置されている。帯電ロール７１，７１の上端は箱本体４７の下面に近接している。各帯電ロール７１のロール長さはフィルムサンプルＳの横幅寸法（Ｗ）より若干小さく設定されている。
図９，１０に示すように、各帯電ロール７１と嵌合した中間軸７３の両端は断面が長方形の小さいネジ固定部７５になっており、ネジ固定部７５にはネジ孔７７が形成されている。一方、装置本体３上に直接固定された軸受７９と基台８１上に固定された軸受８３には端部軸８５が回転自在に支持されており、その端部軸８５の対向端には上端が開口した受入溝８７が形成されている。受入溝８７の底面にはネジ孔（図示省略）が形成されている。
中間軸７３のネジ固定部７５，７５を端部軸８５の受入溝８７に挿し込み、ネジ８９をネジ孔７７等に挿通して締付けることにより中間軸７３と端部軸８５は一体になる。
このように、中間軸７３は容易に交換可能になっており、種々の絶縁性、導電性の帯電ロール７１を取り付けた中間軸７３を複数予め用意しておくことで、実際の工場内での製造ラインでフィルムが接触し易い材料で構成した帯電ロール７１，７１で帯電量を測定することができる。
【００２６】
符号９１，９１は一対のレール部材を示し、このレール部材９１，９１は装置本体３上に平行に配置され固定されている。各レール部材９１には対向面側に開口したレール溝９３が形成されており、軸受８３の基台８１の外側両端に設けられた一体のスライダ９５がスライド自在に係合されている。
符号９７，９７は一対の紐を示し、図５に示すように、各紐９７の一端は基台８１に固定され、他端には錘９９が吊下げられている。各紐９７は平行に配置されており、錘９９の荷重により引っ張られて基台８１から隣接する軸受７９により支持された端部軸８５の下を通り抜けさらに下駄部６５の下を通り抜けた後に、装置本体３の角部に設置された滑車部１０１上の通過により方向転換されて下方に向かっている。
【００２７】
錘９９の荷重により紐９７が引っ張られるので、紐９７の一端が固定された基台８１もスライド移動して隣接する軸受７９側に引っ張られる。従って、錘９９の荷重を調整することにより、帯電ロール７１，７１のロール圧力を適宜に調整できる。
なお、帯電ロール７１，７１のそれぞれの端部軸８５、８５の一端は実際の装置ではもっと外方に延びており、それらと装置本体３の内部に収容されたモーターの出力軸が装置本体３の上面を貫通したベルトによって掛け渡されている。従って、モーターの回転により帯電ロール７１，７１は、図９の矢印に示す方向に回転する。
帯電ロール７１，７１どうしの間に、ガイド部４９の上側部分は箱本体４７の上面を貫通し、その上端面は開口してフィルムサンプルＳの投入口５３なっている。除電箱４５の天井面から一定の長さまでは、対向する側面が切り欠けられて一対の開口窓５５が形成されている。
【００２８】
帯電ロール７１，７１は、ロール間のフィルムサンプルＳの挟み込み部がガイド部４９の規制空間に上下方向で重なるように配置されており、ガイド部４９の先尖り状の延出部５７はロール間の上部の断面が逆三角形の空間に延出して入り込んでいる。但し、帯電ロール７１，７１と延出部５７との間には若干のクリアランスが設けられており、接触はしていない。従って、また、閉鎖ガイド部は除電箱４５を貫通し先尖状になって下方の一対の帯電ロール７１,７１の間に延出しているので、フィルムサンプルＳの落下軌道が一対の帯電ロール７１，７１に挟み込まれる直前まで規制される。
上記配置により、図６に示すように、箱本体４７の下面に形成された一対の貫通孔５９，５９は帯電ロール７１，７１のそれぞれの外方側半円弧部７２，７２に対向することになる。
フィルムサンプルＳは帯電ロール７１，７１の間に上側から挟み込まれ、下側に繰り出される。その間に、フィルムサンプルＳは帯電される。
【００２９】
符号１０３はファラデーゲージを示し、このファラデーゲージ１０３は装置本体３に収容されている。
ファラデーゲージ１０３は全体として縦長の箱形状をなしており、下部１０５と、上部１０７に分かれている。
壁面は二重壁構造になっており、導電性の内側壁１１１と導電性の外側壁１１３とからなり、内側壁１１１と外側壁１１３とは側方で絶縁性のボルト１１５、ナット１１７、スペーサ１１９からなる固定具で固定されており、外側壁１１３の底面上に絶縁性のスペーサ１２１を介して内側壁１１１の底面が載せられている。
【００３０】
上部１０７のうち、外側壁１１３で構成された上面には長方形の投入口１０９が形成されており、この投入口１０９は、一対の帯電ロール７１，７１の間から下方に繰り出されたフィルムサンプルＳを十分なクリアランスで囲む寸法に設定されている。内側壁１１１の上面はこの実施の形態では全面開口しているが、投入口１０９に対応したサイズから全面開口まで適宜設定できる。
下部１０５の対向する一対の外側壁１１３の中間部分は内方に曲げられて横方向に延びる一対のスライドレール１２３，１２３が形成されている。なお、スライドレール１２３の形成箇所では、外側壁１１３と内側壁１１１とは近接するが接触はせず絶縁性は担保されている。
【００３１】
符号１２５，１２５は一対の横長の導電板を示し、導電板１２５，１２５は下部１０５と上部１０７にまたがるように対向して当接され、上部１０７でネジなどの適宜な固定具１２７により固定されている。一方の導電板１２５は外側壁１１３側に当接されており、他方の導電板１２５は内側壁１１１側に当接されている。
導電板１２５が当接された内側壁１１１に対向する外側壁１１３の下部１０５に取手１２９の付いた扉１３１が取付けられている。
【００３２】
ファラデーゲージ１０３は、図５に示すように、装置本体３に収容されており、図１に示すように、扉１３１で装置本体３の前面の開口が閉塞されている。なお、図１中、符号１３３は帯電量測定部の表示パネルを示し、この表示パネル１３３は装置本体３の正面に配設されている。
装置本体３には、安全上の観点からファラデーゲージ１０３の収容空間を限定する区画壁（図示省略）が設けられている。区画壁は装置本体３の天井から底部まで上下方向に延びており、装置本体３は左右２つの空間に分けられている。
ファラデーゲージ１０３は左側の空間に収容されている。
ファラデーゲージ１０３の上部１０７の外側壁１１３の両側面は適宜な固定手段により装置本体３に固定されている。一方、下部１０５の外側壁１１３のスライドレール１２３，１２３は装置本体３の左側面と区画壁にそれぞれ取り付けられた突条部１３５にスライド移動可能に支持されている。
従って、図１１に示すように、取手１２９を掴んで扉１３１を前方に引き出すと、ファラデーゲージ１０３の下部１０５は突条部１３５に対して前方にスライド移動し、図１２（１）の状態から図１２（２）に示す状態まで、すなわち前方の導電板１２５が下部１０５の奥側の内側壁１１１に当接するまで下部１０５は前方に引き出される。
【００３３】
外側壁１１３は接地されており、また、内側壁１１１はシールド線を介してクーロンメーターに電気的に接続されている。従って、投入口１０９を通って内側壁１１１の底面上に落下したフィルムサンプルＳの帯電量（クーロン量）が測定される。
測定後は上端が全面開口した下部１０５を前方に引き出し、下部１０５の開口上端から手を差し入れてフィルムサンプルＳを掴んで引き上げることにより、フィルムサンプルＳを取り出す。ファラデーゲージ１０３は下部１０５と上部１０７に分離され、全面開口した下部１０５からフィルムサンプルＳを取り出すので、下部１０５をそれほど深くする必要が無い。従って、ファラデーゲージ１０３に深く手を入れなくとも指先を差し入れるだけでフィルムサンプルＳを掴んで引き上げることができる。そのため、内側壁１１１により画定される開口面積は指先を差し入れるだけの大きさがあれば足りる。
【００３４】
この帯電量測定部では、フィルムサンプルＳが導電性の場合には、フィルムサンプル全体が等電位になるが、フィルムサンプルＳの先端が帯電ロール７１，７１に接触したときには後端は閉鎖ガイド部の中にあるように、開口窓５５の長手方向の寸法が設定されているので、帯電ロール７１により先端が帯電し始めた際には後端には除電イオン風（白抜き矢印で示す）は当らない。従って、フィルムサンプルＳの帯電が阻害されることはない。
また、帯電ロール７１，７１は絶縁性ロールのとき、フィルムサンプルＳの挟み込み接触により自らも帯電されるが、フィルムサンプルＳの分離後に装置本体３の下面の貫通孔５９から噴出した除電イオン風に当てられることになるので除電され初期状態に戻る。
従って、繰り返し、測定を行うことができる。上記構成は帯電ロール７１，７１が誘電体の場合に特に有効である。
【００３５】
この帯電防止性評価装置１では抵抗測定部におけるフィルムサンプルＳが挿し込まれる挿し込み空間２１の横幅寸法と、帯電量測定部におけるフィルムサンプルＳが挿し込まれて落下する規制空間５１の横幅寸法は同じ（Ｗ１）に設定されている。すなわち、同じ横幅寸法のフィルムサンプルＳを使用することを前提としている。
【００３６】
以上、本発明を実施するための最良の形態として上記の実施の形態を例にとって詳述してきたが、本発明の具体的構成は上記の実施の形態に限定されるものではなく、本発明の要旨から外れない範囲内での設計変更等があっても本発明に含まれる。
【００３７】
また、内側壁の底面を傾斜させたり、内側壁の底面や側面を凹凸にしたりすることによってフィルムサンプルＳの張付きを防止することも考えられる。
また、帯電ロールは、ゴムロール、樹脂ロール、金属ロール、表面マットロール等に交換可能である。
【産業上の利用可能性】
【００３８】
本発明の装置によれば、一枚のフィルムサンプルで漏洩性と帯電性を評価でき、しかも装置自体がコンパクト化・軽量化されているので所望の測定箇所まで簡単に持ち運びできる。
【図面の簡単な説明】
【００３９】
【図１】本発明の実施の形態に係る帯電防止性評価装置の全体斜視図である。
【図２】図１の装置の抵抗測定部の電極部の斜視図である。
【図３】図２の抵抗測定部の電気的結線関係を示す図である。
【図４】図２と従来品の抵抗測定部の電極部形状の比較図である。
【図５】図１の装置の帯電量測定部の概略的断面図である。
【図６】図５の帯電量測定部の除電箱と帯電ロールの断面図である。
【図７】図５の帯電量測定部の除電箱内部の斜視図である。
【図８】図５の帯電量測定部の除電箱の下面の斜視図ある。
【図９】図５の帯電量測定部の帯電ロールの斜視図である。
【図１０】図９の帯電ロールの分解斜視図である。
【図１１】図５の帯電量測定部のファラデーゲージの斜視図である。
【図１２】図１１のファラデーゲージの断面図である。
【符号の説明】
【００４０】
１‥‥帯電防止性評価装置            ３‥‥装置本体
５‥‥一面側電極部                  ７‥‥絶縁性本体
９‥‥溝部                        １１‥‥長円状主電極
１３‥‥リング状対電極              １５‥‥他面側電極部
１７‥‥絶縁性本体                  １９，１９‥‥ガイド部材
２１‥‥挿し込み空間                ２３‥‥矩形状対向電極
２５，２５‥‥レール部材            ２７，２７‥‥レール溝
２９‥‥取手                        ３１‥‥スイッチ部
３３‥‥スライダ                    ３５‥‥固定部
３７‥‥電圧印加手段                ３９‥‥電流測定手段
４１‥‥表示パネル                  ４３‥‥操作棒
４５‥‥除電箱                      ４７‥‥箱本体
４９‥‥ガイド部                    ５１‥‥規制空間
５２‥‥断面穴部                    ５３‥‥投入口
５５‥‥開口窓                      ５７‥‥延出部
５９，５９‥‥貫通孔                ６１‥‥除電イオン風発生手段
６３‥‥針状電極                    ６５，６５‥‥下駄部
６７，６７‥‥レール部材            ６９‥‥レール溝
７１，７１‥‥帯電ロール            ７２‥‥外方側半円弧部
７３‥‥中間軸                      ７５‥‥ネジ固定部
７７‥‥ネジ孔                      ７９‥‥軸受
８１‥‥基台                        ８３‥‥軸受
８５‥‥端部軸                      ８７‥‥受入溝
８９‥‥ネジ                        ９１，９１‥‥レール部材
９３‥‥レール溝                    ９５‥‥スライダ
９７‥‥紐                          ９９‥‥錘
１０１‥‥滑車部                    １０３‥‥ファラデーゲージ
１０５‥‥下部                      １０７‥‥上部
１０９‥‥投入口                    １１１‥‥内側壁
１１３‥‥外側壁                    １１５‥‥ボルト
１１７‥‥ナット                    １１９‥‥スペーサ
１２１‥‥スペーサ                  １２３，１２３‥‥スライドレール
１２５，１２５‥‥導電板            １２７‥‥固定具
１２９‥‥取手                      １３１‥‥扉
１３３‥‥表示パネル                １３５‥‥突条部
Ｓ‥‥フィルムサンプル      
Ｌ，Ｗ‥‥フィルムサンプルの長手寸法、横幅寸法、
Ｗ１‥‥抵抗測定部のガイド部の挿し込み空間の横幅寸法
＝帯電量測定部のガイド部の規制空間の横幅寸法
【図１】
0004752008.tif 000004
【図２】
0004752008.tif 000005
【図３】
0004752008.tif 000006
【図４】
0004752008.tif 000007
【図５】
0004752008.tif 000008
【図６】
0004752008.tif 000009
【図７】
0004752008.tif 000010
【図８】
0004752008.tif 000011
【図９】
0004752008.tif 000012
【図１０】
0004752008.tif 000013
【図１１】
0004752008.tif 000014
【図１２】
0004752008.tif 000015